(57)【特許請求の範囲】
【請求項１】
炭素粒群を含有するか又は含有しない鉄材及び炭素材を相互に接触させる状態で収容する収容槽と、
前記収容槽を振動させる振動手段とを具備し、
前記炭素材は粒塊状を呈し、前記鉄材は前記炭素材よりも体積の大きい板状を呈し、
前記収容槽の底に複数の前記炭素材を敷き詰めた後、形成された該炭素材の層の上に前記鉄材を置き、該鉄材を覆うように前記炭素材を敷き詰める、という作業を繰り返すことにより、前記収容槽内に前記炭素材と前記鉄材とが収容され、
前記収容槽は、炭素粒群を含有するか又は含有しない鉄によって形成され、内面に凸部を有していることを特徴とする鉄イオン溶出装置。
【請求項２】
前記鉄材はスリット又は穴を有する請求項１に記載の鉄イオン溶出装置。
【発明の詳細な説明】
【技術分野】
【０００１】
本発明は、例えば、水中に鉄イオンを溶出させるための鉄イオン溶出装置に関する。
【背景技術】
【０００２】
図４に示すように、気泡コンクリート製のブロック５１の中空部５２に、鉄５３と鉄５３に比べ電位の高い金属（例えば、グラファイト、活性炭）５４との混合物を充填してなる漁礁構造物を海水に浸漬することにより、鉄５３から海中に鉄イオンを溶出させる技術が公知である（例えば、特許文献１参照）。
【先行技術文献】
【特許文献】
【０００３】
【特許文献１】特開平６−２０６８０４号公報
【発明の概要】
【発明が解決しようとする課題】
【０００４】
斯かる漁礁構造物にあっては、鉄５３と金属５４との混合物をブロック５１の中空部５２内に単に充填しているだけであり、鉄イオンの溶出効率が低いという問題がある。すなわち、上記漁礁構造物を海水に浸漬した後、しばらくの間は、金属５４に接触する鉄５３から鉄イオンが溶出する。しかし、鉄５３は鉄イオンの溶出により次第に小さくなり、金属５４に接触しなくなった鉄５３の表面には、不純物及びスライムが付着する、あるいは硬質の酸化被膜が形成される、といったことが起こる上、海流等の外力を受けた鉄５３がブロック５１の中空部５２から完全に離脱すると、もはや金属５４への接触は望むべくもない状態となる。
【０００５】
本発明は上述の事柄に留意してなされたもので、その目的は、鉄イオンの溶出の効率化を図ることができる鉄イオン溶出装置を提供することにある。
【課題を解決するための手段】
【０００６】
上記目的を達成するために、本発明に係る鉄イオン溶出装置は、炭素粒群を含有するか又は含有しない鉄材及び炭素材を相互に接触させる状態で収容する収容槽と、前記収容槽を振動させる振動手段とを具備し、前記炭素材は粒塊状を呈し、前記鉄材は前記炭素材よりも体積の大きい板状を呈し、前記収容槽の底に複数の前記炭素材を敷き詰めた後、形成された該炭素材の層の上に前記鉄材を置き、該鉄材を覆うように前記炭素材を敷き詰める、という作業を繰り返すことにより、前記収容槽内に前記炭素材と前記鉄材とが収容され、前記収容槽は、炭素粒群を含有するか又は含有しない鉄によって形成され、内面に凸部を有している（請求項１）。
【０００７】
【０００８】
上記鉄イオン溶出装置において、前記鉄材はスリット又は穴を有していてもよい（請求項２）。
【発明の効果】
【０００９】
本願発明では、鉄イオンの溶出の効率化を図ることができる鉄イオン溶出装置が得られる。
【００１０】
すなわち、本願の各請求項に係る発明の鉄イオン溶出装置では、振動手段によって収容槽全体が振動することにより、収容槽内において接触する鉄材と炭素材とが互いに擦れ合い、研磨し合って、双方ともに新しい面の形成と相互接触の摺動とを繰り返すことになる。その結果、鉄材中の鉄（Ｆｅ）から炭素材中の炭（Ｃ）に電子が流れる局部電池が形成されるのに伴い、鉄材から水中に鉄イオンが溶出するという作用が大いに促進され、鉄イオンの溶出効率が飛躍的に高まることになる。
【００１１】
請求項１に係る発明の鉄イオン溶出装置では、鉄材の外面全体に占める炭素材の接触を受ける面積の割合を大きくすることができ、鉄イオンの溶出効率をより高めることができる。
【００１２】
請求項２に係る発明の鉄イオン溶出装置では、鉄材に設けるスリットあるいは穴の幅を、炭素材の平均粒径よりも大きくすることにより、鉄材の外面に対する炭素材の接触可能な面積が広がり、鉄イオンの溶出効率が高まることになる。
【図面の簡単な説明】
【００１３】
【図１】（Ａ）及び（Ｂ）は、本発明の一実施の形態に係る鉄イオン溶出装置の構成を概略的に示す部分切断正面図及び平面図である。
【図２】前記鉄イオン溶出装置の収容槽内の鉄材の状態を示す横断面図である。
【図３】変形例に係る前記鉄イオン溶出装置の収容槽内の鉄材の状態を示す横断面図である。
【図４】従来例に係る漁礁構造物の構成を概略的に示す斜視図である。
【発明を実施するための形態】
【００１４】
本発明の実施の形態について図面を参照しながら以下に説明する。
【００１５】
本実施の形態に係る鉄イオン溶出装置は、図１（Ａ）に示すように、炭素粒群を含有する鉄材１及び炭素材２を収容する収容槽３と、収容槽３内に水または液を供給するための水中ポンプ（供給手段の一例）４と、収容槽３を振動させるためのバイブレータ（振動手段の一例）５とを具備している。
【００１６】
すなわち、水中ポンプ４は、収容槽３の下面に設置され、例えば海水中に配置された状態で、収容槽３の導入部６に接続された供給管７を介して収容槽３内に水（海水）を連続供給する。
【００１７】
収容槽３内では、水の存在下で、鉄材１中の鉄（Ｆｅ）と炭素材２中の炭（Ｃ）とが接触し、両者の電気陰性度又は電位の差により、鉄から炭に電子が流れる局部電池が形成されるのに伴い、鉄材１から水中に鉄イオンが溶出する。そして、鉄イオンが溶出した水は、収容槽３の導出部８から排出管９を介して外部水中（海中）に導出される。
【００１８】
海中に放出された鉄イオンは植物プランクトンに必須ミネラルとして吸収され、光合成によって二酸化炭素を消費する植物プランクトンの増加は、二酸化炭素を減少させると同時に、水中生物の増殖と活性に寄与し、赤潮発生の原因となる富栄養化物質と化学結合したり底層の微生物を活性化したりしてヘドロを浄化する働きもする。
【００１９】
以上が本実施形態の概略であり、詳細について以下に述べる。
【００２０】
本実施形態では、図１（Ａ）に示すように、収容槽３の底に粒塊状（粒塊混合状）の複数の炭素材２を敷き詰めた後、形成された炭素材２の層の上に板状の２枚の鉄材１を横に並べて置き（図２も参照）、２枚の鉄材１を覆うように炭素材２を敷き詰める、という作業を繰り返し、収容槽３内に鉄材１と炭素材２とを収容する。尚、この作業を容易に行えるように、鉄材１及び炭素材２を収容する前の収容槽３の上方は開放されており、鉄材１及び炭素材２の収容後に、蓋３ａ（図１（Ａ）参照）を適宜の手段（例えば溶接やねじ止め等）により収容槽３の上部に取り付けるようにしている。
【００２１】
図１（Ａ）及び（Ｂ）に示すように、蓋３ａの上面（収容槽３の上面）にはバイブレータ５が設置され、このバイブレータ５によって収容槽３全体が振動することにより、収容槽３内において圧接密着する鉄材１と炭素材２とが互いに擦れ合い、研磨し合って、双方ともに新しい面の形成と相互接触の摺動とを繰り返すことになる。その結果、新しい面どうしの間で鉄から炭に電子が流れ、鉄材１から水中に鉄イオンが溶出するという作用が大きく促進され、鉄イオンの溶出効率が飛躍的に高まることになる。
【００２２】
さらに、本実施形態では、鉄材１の外面全体に占める炭素材２の接触を受ける面積の割合を増やすために、図１（Ａ）に示すように、炭素材２を粒塊状とし、鉄材１を炭素材２よりも体積の大きい板状としてある。また、鉄材１の外面に対する炭素材２の接触可能な面積を広げるために、図２に示すように、鉄材１に、炭素材２の平均粒径よりも幅の大きいスリット１ａを複数設けてある。これらの構成によっても、鉄イオンの溶出効率が高まることになる。
【００２３】
その上、本実施形態では、収容槽３を、鉄に炭素粒群を分散させた材料によって構成してあるので、炭素材２の接触を受ける鉄材１からのみではなく、同じく炭素材２の接触を受ける収容槽３の内面からも鉄イオンが水中に溶出する。そして、図１（Ａ）に示すように、収容槽３の底壁上面と天壁（蓋３ａ）下面とに、収容槽３内側に向かって突出する凸部１０を複数設け、収容槽３の内面と炭素材２との接触面積の拡大を図っているので、バイブレータ５によって収容槽３に加えられる振動による作用と相俟って、収容槽３内面からの鉄イオンの溶出効率も極めて高いものとなる。尚、凸部１０の配置には規則性を持たせる必要はなく、ランダムに配置することができる。
【００２４】
本実施形態では、図１（Ａ）及び（Ｂ）に示す排出管９をフレキシブルホース（可撓管）によって構成してあり、この排出管９を水中（海中）に垂らして拘束しない状態としておくことにより、排出管９の先からの放水に伴って排出管９が不規則に動き回り、鉄イオンが溶出した水を広範囲に行き届かせることができる。
【００２５】
また、本実施形態では、図外の例えばＦＲＰ（繊維強化プラスチック）製のフロートが、収容槽３を水没状態に保持するように構成してある。
【００２６】
また、図１（Ｂ）に示すように、収容槽３は、導入部６及び導出部８とは別に、収容槽３の内部を外部に連通させる複数の連通部（スリット）１１を蓋３ａに有し、図示していないが、収容槽３の底部にも複数の連通部１１が設けられている。これらの連通部１１は、排出管９が不用の折、水中で収容槽３内の水を上下に放出可能とするためのものであり、排出管９を用いる場合には、連通部１１を設けなくてもよい。
【００２７】
水中ポンプ４及びバイブレータ５の電源は、例えば商用電源、電池、発電装置等の何れでもよい。
【００２８】
ここで、鉄材１及び収容槽３には、例えば、ＦＣ（片状黒鉛鋳鉄）、ＦＣＤ（球状黒鉛鋳鉄）、普通鋼や汎用鉄板等の単体に炭素粒群を分散させてあるものを用いることができ、炭素材２には、カルサインコークス、草木質材の乾留炭（活性炭）等を用いることができる。
【００２９】
鉄材１、炭素材２、収容槽３の各寸法は、使用環境等に応じて適宜設定すればよく、一例を挙げると以下の通りである。鉄材１は、厚み５ｍｍ、縦１００ｍｍ、横２４０ｍｍの板状をしており、縦１０ｍｍ、横２２０ｍｍのスリット１ａが計四つ設けられている（図２参照）。炭素材２の平均直径はおよそ５ｍｍ（好ましくは５ｍｍ以上）である。直方体形状（箱状）をした収容槽３の各壁の肉厚は５ｍｍであり、高さ６０ｍｍ、縦２１０ｍｍ、横２５０ｍｍの内部空間を有している。
【００３０】
なお、本発明は、上記の実施の形態に何ら限定されず、種々に変形して実施し得ることは勿論である。例えば、以下のような変形例を挙げることができる。
【００３１】
本実施形態の鉄イオン溶出装置を用いる場所は、海に限らず、例えば湖沼、河川、池、堀であってもよい。また、供給手段によって収容槽３内に供給する水または液としては、海水に限らず、例えば、淡水（真水）、産業排水、生活排水等、鉄イオンの溶出が可能な水または液であればよい。
【００３２】
上記実施形態には、鉄イオン溶出装置をフロート式（水面に浮かべる）とした例を示したが、これに限らず、例えば、沿岸等の陸上に設置するようにしてもよいし、水中に完全に沈めた状態で固定あるいは浮遊させながら用いるようにしてもよい。このような変更に伴って、例えば水中ポンプ４に替えて陸上ポンプを用いるようにしてもよい。
【００３３】
鉄材１及び収容槽３の各素材には、上記のように鉄イオンの溶出を効率良く行えるものを選択すればよく、特に鉄製の鋳物（ＦＣやＦＣＤ）に炭素純度が高い（ハイカーボンの）炭素粒群が沢山鋳込まれた鋳包み材を用いるのが好ましいが、これに限らず、例えば、ＦＣ、ＦＣＤ、普通鋼や汎用鉄板等の単体を、これらに炭素粒群を分散させることなく用いてもよい。また、収容槽３の素材を、例えばステンレスやプラスチック、ゴム、布等としたり、炭素を含有する材としてもよい。
【００３４】
上記実施形態では、収容槽３内に複数枚の鉄材１を上下にいわば積層した状態で炭素材２と共に収容しているが、鉄材１を重ねる段数は目標等に応じて適宜設定可能であり、例えば鉄材１の積み重ね枚数を減らす場合には、炭素材２を増量する等の処置をとればよい。また、収容槽３内に、鉄材１、炭素材２の他に、例えば鉄材１の破片、鉄鋳物または鉄材の切削屑や切断小粒片等を混在させてもよい。
【００３５】
上記実施形態では、図２に示すように、収容槽３内の各段において鉄材１を２枚横に並べるようにしているが、これに限らず、鉄材１を大きくして各段に鉄材１を１枚のみ配するようにしたり、鉄材１を小さくして各段に鉄材１を３枚以上配するようにしたりしてもよい。また、鉄材１の大きさを統一してもよいし、不揃いとしてもよい。
【００３６】
上記実施形態では、鉄材１にスリット１ａを設けているが、スリット１ａを設けなくてもよい。また、スリット１ａに替えて、あるいはスリット１ａに加えて、鉄材１の外面に凹凸を設けてもよい。
【００３７】
各炭素材２の大きさは、不揃いであっても統一してあってもよい。また、炭素材２どうしを紐で結ぶ等して連結してもよく、炭素材２を板状に成形し、外面に凹凸を設けてもよい。
【００３８】
上記実施形態では、収容槽３の天壁（蓋３ａ）下面及び底壁上面のみに凸部１０を設けているが、これに限らず、例えば収容槽３の側壁内面にも凸部１０を設けたり、凸部１０を完全に無くしたりしてもよい。
【００３９】
収容槽３を直方体形状としているが、これに限らず、例えば円柱形状としたり、直方体以外の多角柱形状としたりしてもよい。
【００４０】
波や海流（水流）の影響によって収容槽３が十分に振動する場合には、バイブレータ５を省略してもよい。
【００４１】
収容槽３に設けた連通部１１によって収容槽３内への水の供給及び収容槽３からの水の排出が十分に行われる場合には、水中ポンプ４、導入部６、供給管７、導出部８、排出管９を省略してもよい。
【００４２】
上記実施形態では、収容槽３の天壁（蓋３ａ）下面及び底壁上面のみに凸部１０を設けているが（図１（Ａ）参照）、これに限らず、例えば収容槽３の側壁内面にも凸部１０を設けたり、凸部１０を完全に無くしたりしてもよい。
【００４３】
上記実施形態では、収容槽３の底壁及び天壁（蓋３ａ）のみに連通部１１を設けているが（図１（Ｂ）参照）、これに限らず、例えば収容槽３の側面にも連通部１１を設けたり、連通部１１を完全に無くしたりしてもよい。
【００４４】
上記実施形態では、鉄材１に複数のスリット１ａを設けているが、これに限らず、鉄材１に、例えば図３に示すように複数の穴１２を格子状に配するようにしてもよい。スリット１ａ、穴１２の配置の仕方は、例えば千鳥状等、種々に変更可能であり、また、各々の形状も矩形状に限らず、設ける数も任意とすることができる。そして、スリット１ａを設けた鉄材１と穴１２を設けた鉄材１とを併用するようにしてもよいし、一枚の鉄材１に、スリット１ａと穴１２とを設けたものを用いるようにしてもよい。さらに、鉄材１自体を棒状等、他の形状とすることもできる。
【００４５】
なお、上記変形例どうしを適宜組み合わせてもよいことはいうまでもない。また、上述したように、収容槽３内に鉄材１、炭素材２以外のものを収容してもよく、収容槽３に対する鉄材１、炭素材２の充填量を任意としてもよい。
【符号の説明】
【００４６】
１    鉄材
１ａ  スリット
２    炭素材
３    収容槽
３ａ  蓋
４    水中ポンプ（供給手段）
５    バイブレータ（振動手段）
６    導入部
７    供給管
８    導出部
９    排出管
１０    凸部
１１    連通部
１２    穴
５１    ブロック
５２    中空部
５３    鉄
５４    金属
【要約】
【課題】鉄イオンの溶出の効率化を図ることができる鉄イオン溶出装置を提供すること。
【解決手段】炭素粒群を含有するか又は含有しない鉄材１及び炭素材２を相互に接触させる状態で収容する収容槽３と、前記収容槽３内に水または液を供給する供給手段４と、前記収容槽３を振動させる振動手段５とを具備することを特徴とする鉄イオン溶出装置とし、前記炭素材２は粒塊状を呈し、前記鉄材１は前記炭素材２よりも体積の大きい板状を呈するようにする。
【選択図】図１【図１】
0005539579.tif 000002
【図２】
0005539579.tif 000003
【図３】
0005539579.tif 000004
【図４】
0005539579.tif 000005